(57)【要約】【課題】  スペースを有効に活用して、撮像装置の小型化を図る。【解決手段】  ＤＶＤを着脱する着脱部１０１ａを側面に具備する撮像装置本体１０１と、着脱部１０１ａを開閉するためのディスクカバー１０４とを備えた撮像装置であって、撮像装置本体１０１の側面のうち被写体側に配置された上下一対の軸受け部２０１、２０２を有し、これら上下一対の軸受け部２０１、２０１によりディスクカバー１０４を回動可能に支持するヒンジ１０５を備え、一対の軸受け部２０１、２０２間にストロボ発光部１０３が配置されている。また、ディスクカバー１０４の縁部にはストロボ発光部１０３の一部を外部に露出させるための切り欠き１０６が形成されている。【選択図】  図１
2007028480.tif 000002
【特許請求の範囲】
【請求項１】
記録媒体を着脱する着脱部を側面に具備する撮像装置本体と、前記着脱部を開閉するための開閉蓋とを備えた撮像装置であって、
前記撮像装置本体の側面のうち被写体側に配置された上下一対の軸受け部を有し、これら上下一対の軸受け部により前記開閉蓋を回動可能に支持するヒンジを備え、
前記ヒンジの一対の軸受け部間に、被写体に向けることが望ましい部材の少なくとも一部が配置されていることを特徴とする撮像装置。
【請求項２】
前記開閉蓋の縁部には前記部材の一部を外部に露出させるための切り欠きが形成されていることを特徴とする請求項１に記載の撮像装置。
【請求項３】
前記部材は発光部であることを特徴とする請求項１又は２に記載の撮像装置。
【請求項４】
前記発光部はストロボ発光部、ＬＥＤ、タリーランプのいずれかであることを特徴とする請求項３に記載の撮像装置。
【請求項５】
前記部材はマイクであることを特徴とする請求項１又は２に記載の撮像装置。
【請求項６】
前記部材は受光部であることを特徴とする請求項１又は２に記載の撮像装置。
【発明の詳細な説明】
【技術分野】
【０００１】
本発明は、記録媒体を着脱する着脱部を側面に具備する撮像装置本体と、前記着脱部を開閉するための開閉蓋とを備えた撮像装置に関する。
【背景技術】
【０００２】
近年のカムコーダは、静止画を撮影する機能を搭載したものが多く、暗い場所で静止画を撮影する際にはストロボ機能が必須である。
【０００３】
しかしながら、ストロボは被写体に向けることが要求され、その配置には制約があるため、ストロボを撮像装置に内蔵する場合に撮像装置が大型化してしまうことがあった。そのため、撮像装置の形状に合わせて、空いているスペースにいかにしてストロボを配置するかが小型化に重要である。
【０００４】
図７、８を参照して、従来の撮像装置について説明する。図７に示すのは、ストロボが内蔵されたディスクカムコーダの一例である。７０１は撮像装置本体である。７０２は撮像レンズである。７０３はストロボ発光部である。７０４はディスクを取り出すためのディスクカバーである。７０５はディスクカバー７０４を開閉するための開閉ヒンジである。
【０００５】
開閉用ヒンジ７０５は、撮像装置本体７０１の側面のうち撮影者側に配置されており、ストロボ発光部７０３は、撮像装置本体７０１の側面のうち被写体側で、且つ、撮像レンズ７０２の近傍に配置されている。ディスクカバー７０４の形状はディスクの形状に合わせて円弧形状を呈し、ストロボ発光部７０３はディスクカバー７０４の円弧形状から突出するようにして設けられている。
【０００６】
また、図８に示すのは、特許文献１に開示されているテープを記録媒体とした撮像装置である。８０１は撮像装置本体である。８０２は撮像レンズである。８０３は画像表示装置である。８０４はストロボ発光部である。８０５は画像表示装置８０３を開閉するための開閉ヒンジである。
【０００７】
ストロボ発光部８０４は、開閉ヒンジ８０５の前方で、且つ、撮像レンズ８０２の近傍に配置されている。この場合に、開閉ヒンジ８０５を覆うカバーと同一のカバー内にストロボ発光部８０４が配置されている。
【０００８】
【特許文献１】特開２００５−６５２４６号公報
【発明の開示】
【発明が解決しようとする課題】
【０００９】
しかしながら、図７に示したディスクカムコーダでは、ストロボ発光部７０３がディスクカバー７０４の円弧形状から突出するようにして設けられており、ストロボ発光部７０３が外観上に露出するため、それだけ大型化してしまうとともに、デザインを悪くしてしまう。
【００１０】
また、図８に示した撮像装置では、画像表示装置８０３の開閉ヒンジ８０５近傍にストロボ発光部８０４が配置されているが、この撮像装置は撮像レンズ８０２の横に画像表示装置８０３が配置されているため、ディスクカムコーダに同様の構成でストロボ発光部を搭載した際に、撮像レンズの左右にディスクの再生、記録を行うユニットと、画像表示装置とが配置される。そのため、ディスクカムコーダが幅広となってしまうとともに、撮像レンズの下方部分には大きなスペースができてしまうため、小型化には向かない配置となる。
【００１１】
本発明は上記のような点に鑑みてなされたものであり、スペースを有効に活用して、撮像装置の小型化を図ることを目的とする。
【課題を解決するための手段】
【００１２】
本発明による撮像装置は、記録媒体を着脱する着脱部を側面に具備する撮像装置本体と、前記着脱部を開閉するための開閉蓋とを備えた撮像装置であって、前記撮像装置本体の側面のうち被写体側に配置された上下一対の軸受け部を有し、これら上下一対の軸受け部により前記開閉蓋を回動可能に支持するヒンジを備え、前記ヒンジの一対の軸受け部間に、被写体に向けることが望ましい部材の少なくとも一部が配置されている点に特徴を有する。
【発明の効果】
【００１３】
本発明によれば、撮像装置本体の側面のうち被写体側に配置された上下一対の軸受け部間に、被写体に向けることが望ましい部材の少なくとも一部を配置するようにしたので、スペースを有効に活用して、撮像装置の小型化を図ることが可能となる。
【発明を実施するための最良の形態】
【００１４】
以下、添付図面を参照して、本発明の好適な実施形態について説明する。
（第１の実施形態）
図１は、ディスク状記録媒体を用いたディスクドライブ付きのディスクカムコーダを示す図である。具体的にはディスク状記録媒体としてディジタルビデオディスク（ＤＶＤ）を使用し、光学的な画像を電気的な信号に変換してＤＶＤに記録し、ＬＣＤ等の表示装置に表示できるようにしたものである。
【００１５】
図１において、１０１は撮像装置本体であり、その一方の側面にＤＶＤを着脱する着脱部１０１ａを具備する。
【００１６】
１０２は撮像装置本体１０１の被写体に向ける面（本明細書では「前面」とする）に配置された撮像レンズ部であり、被写体からの光をＣＣＤに導く。
【００１７】
１０３は主に静止画を撮影する際に使用するストロボ発光部である。
【００１８】
１０４はディスクカバーであり、撮像装置本体１０１の側面の着脱部１０１ａを開閉可能に覆う。
【００１９】
１０５はディスクカバーヒンジであり、ディスクカバー１０４を撮像装置本体１０１に連結させ、ディスクカバー１０４を軸を中心に回動させる。ディスクカバーヒンジ１０５は、撮像装置本体１０１の側面のうち被写体側、すなわち撮像装置本体１０１の前面側に配置されている。
【００２０】
図２は、ストロボ発光部１０３とディスクカバーヒンジ１０５との配置関係を分かりやすく示すため、ディスクカバー１０４の一部を削除した模式図である。同図に示すように、ディスクカバーヒンジ１０５を構成する上下一対の軸受け部２０１、２０２間に、箱型のストロボ発光部１０３が配置されている。
【００２１】
そして、図１に示すように、ディスクカバー１０４の縁部に切り欠き１０６が形成されており、ディスクカバー１０４を閉じた状態で、切り欠き１０６からストロボ発光部１０３の導光部材が外部に露出するようになっている。
【００２２】
図３には、ストロボ発光部１０３の構成例を示す。ストロボ発光部１０３は、発光部材であるキセノン管３０１に電圧をかけることにより発光する。キセノン管３０１により発光された光を発光したい方向、つまり被写体の方向へと光を集めるため、被写体と反対へ向かう光を反射させ、被写体にあたる光を増幅させるための反射板３０２、キセノン管３０１及び反射板３０２により発光された光を通過させて被写体に照射するための導光部材であるプリズム３０３、キセノン管３０１、反射板３０２、プリズム３０３の位置を固定し、更に撮像装置本体１０１に固定するための部材であるストロボカバー３０４を備える。
【００２３】
図４にディスクカバーヒンジ１０５とストロボ発光部１０３との位置関係を示す。図４は撮像装置の側方から見た図である。既述したように、ディスクカバーヒンジ１０５は、ストロボ発光部１０３を挟んで上方に配置された軸受け部２０１と、下方に配置された軸受け部２０２とを備える。
【００２４】
上方に配置された軸受け部２０１は、固定部４０１を介して撮像装置本体１０１の側面に固定される。同様に、下方に配置された軸受け部２０２は、固定部４０２を介して撮像装置本体１０１の側面に固定される。
【００２５】
また、上方に配置された軸受け部２０１は、撮像装置本体１０１の側面から立ち上がるようにしたディスクカバー取り付け部４０３を有し、このディスクカバー取り付け部４０３に挿通される軸４０４によりディスクカバー１０４を支持する。同様に、下方に配置された軸受け部２０２は、撮像装置本体１０１の側面から立ち上がるようにしたディスクカバー取り付け部４０５を有し、このディスクカバー取り付け部４０５に挿通される軸４０６によりディスクカバー１０４を支持する。これら軸４０４、４０６を中心にしてディスクカバー１０４が回動することにより、撮像装置本体１０１の側面の着脱部１０１ａを開閉する。
【００２６】
これら上下に配置されたヒンジ２０１、２０２の間にはスペースができるので、このスペースにストロボ発光部１０３を配置している。
【００２７】
図５にディスクカバーヒンジ１０５とストロボ発光部１０３との位置関係を示す。図５は撮像装置の上方から見た図である。また、図６にディスクカバーヒンジ１０５とストロボ発光部１０３との位置関係を示す。図６は撮像装置の下方から見た図である。
【００２８】
図５、６に示すように、ストロボ発光装置１０３は、上下一対の軸受け部２０１、２０２の先端よりも内側、より詳しくは軸４０４、４０６よりも内側のスペースに配置される。
【００２９】
以上述べたように、撮像装置本体１０１の側面のうち被写体側に配置された上下一対の軸受け部２０１、２０２間のスペースにストロボ発光部１０３を配置することで、スペースを有効に活用して、撮像装置の小型化を図ることが可能となる。
【００３０】
また、図７に示したようにストロボ発光部がディスクカバーの円弧形状から突出するようなこともなくなり、デザインを悪くしてしまうこともない。
【００３１】
（第２の実施形態）
上記第１の実施形態で説明したストロボ発光部１０３に替えて、白色ＬＥＤ、タリーランプ、マイク、リモコン等の受光部を配置してもよい。これらの部材は被写体に向けることが望ましい部材であり、撮像装置本体１０１の側面のうち被写体側に配置された上下一対の軸受け部２０１、２０２間のスペースに配置することで、スペースを有効に活用して、撮像装置の小型化を図ることが可能となる。
【００３２】
以上、本発明を実施形態とともに説明したが、それに限定されるものではなく、本発明の範囲内で変更等が可能である。例えば、上記実施形態のビデオカメラ１では、ディスク状記録媒体としてＤＶＤを使用しているが、ディスク状記録媒体としてはＤＶＤに限定されるものではなく、例えばＣＤ−ＲＯＭや光磁気ディスクのような記録可能な光ディスクを用いることができることは勿論のこと、その他の記録方式のディスク状記録媒体を適用できるものである。
【図面の簡単な説明】
【００３３】
【図１】本実施形態の撮像装置の外観を示す斜視図である。
【図２】ディスクカバーの一部を削除した模式図である。
【図３】ストロボ発光部の構成例を示す図である。
【図４】ディスクカバーヒンジとストロボ発光部との位置関係を示す図である。
【図５】ディスクカバーヒンジとストロボ発光部との位置関係を示す図である。
【図６】ディスクカバーヒンジとストロボ発光部との位置関係を示す図である。
【図７】従来の撮像装置の外観を示す斜視図である。
【図８】従来の別の撮像装置の外観を示す斜視図である。
【符号の説明】
【００３４】
１０１    撮像装置本体
１０１ａ  着脱部
１０２    撮像レンズ
１０３    ストロボ発光部
１０４    ディスクカバー
１０５    ディスクカバーヒンジ
１０６    切り欠き
２０１    軸受け部
２０２    軸受け部
【図１】
2007028480.tif 000003
【図２】
2007028480.tif 000004
【図３】
2007028480.tif 000005
【図４】
2007028480.tif 000006
【図５】
2007028480.tif 000007
【図６】
2007028480.tif 000008
【図７】
2007028480.tif 000009
【図８】
2007028480.tif 000010